(57)【要約】      （修正有）【課題】手摺ベルトの表面に、この手摺ベルトの移動方向を長寿命状態で見易く表示し、もって転倒事故等を防止する構成としたエスカレーターの手摺ベルトを提供する。【解決手段】手摺ベルト５の製造工程において加熱成形する際に、この手摺ベルト５の表面とは異色であって手摺ベルト５の移動方向を表示するための方向表示マーク体６Ａを手摺ベルト５の加硫ゴム表面に被せて一体加硫接合する一方、この方向表示マーク体６Ａを前記反転部の半円周範囲Ｈ内に少なくても１個存在する間隔をおいて設けた。【選択図】図２
2008254921.tif 000002
【特許請求の範囲】
【請求項１】
往路から復路にかけて反転して移動し、乗客を輸送する踏段と、この踏段と同期して往路から復路にかけて反転して移動する手摺ベルトとを備えたエスカレーターにおいて、前記手摺ベルトの製造工程において加熱成形する際に、この手摺ベルトの表面とは異色であって手摺ベルトの移動方向を表示するための一定板厚を有する方向表示マーク体を手摺ベルトの加硫ゴム表面に被せ、これら手摺ベルトと方向表示マーク体を加硫接合によって一体化させる一方、この方向表示マーク体を、前記反転部の半円周範囲に少なくても１個存在する間隔をおいて、手摺ベルト全長に複数個設けてなることを特徴とするエスカレーターの手摺ベルト。
【発明の詳細な説明】
【技術分野】
【０００１】  本発明は、移動する踏段が傾斜路あるいは水平路を形成して乗客輸送を行うエスカレーターの手摺ベルトの構成に関する。
【背景技術】
【０００２】  従来においてエスカレーターの手摺ベルト表面に広告等の表示を行う構成は、たとえば特許文献１に開示されているように、既に提案されている。【０００３】  この特許文献１に記載のエスカレーターの手摺ベルトは、手摺ベルトの表面長手方向に広告のみを表示した長尺の印刷シートを貼付けた構成である。【０００４】
【特許文献１】特開２００３−２１２４６８号公報
【発明の開示】
【発明が解決しようとする課題】
【０００５】  上記特許文献１に記載のものは、それの出願時の特許請求の範囲の請求項１に「移動手摺の表面長手方向に広告物の印刷シールを貼付けた」とあるように広告媒体の提供を主眼としたものであって、この印刷シールによって乗客に対して転倒防止等の安全作用をもたらすという思想はなかった。【０００６】  一方、最近のエスカレーター利用においては、利用層の高齢化もあって、エスカレーターの乗り場で動く踏段に乗り移る際の体重移動のタイミングを失して転倒する事故が相次いでいる。これは、乗り移らんとして凝視する踏段の色が黒っぽく、踏段の動き（速度）が認識できないことに起因している。また、エスカレーターの動き方向が認識できず、逆乗り込みをしてしまう事象もある。さらに、上記特許文献１に記載の広告印刷のものは、印刷シールが摩滅かつはがれやすいという短寿命の問題と、単に文字や図柄を付したものでは、手摺ベルトが動いていると文字や図柄があたかも一本の帯のように見えて方向表示の機能を発揮し得ないという問題があった。【０００７】  本発明の目的は、手摺ベルトの表面にこの手摺ベルトの移動方向を長寿命状態で見易く表示し、もって転倒事故等を防止する構成としたエスカレーターの手摺ベルトを提供することにある。
【課題を解決するための手段】
【０００８】  本発明は上記目的を達成するために、往路から復路にかけて反転して移動し、乗客を輸送する踏段と、この踏段と同期して往路から復路にかけて反転して移動する手摺ベルトとを備えたエスカレーターにおいて、前記手摺ベルトの製造工程において加熱成形する際に、この手摺ベルトの表面とは異色であって手摺ベルトの移動方向を表示するための一定板厚を有する方向表示マーク体を手摺ベルトの加硫ゴム表面に被せ、これら手摺ベルトと方向表示マーク体を加硫接合によって一体化させる一方、この方向表示マーク体を、前記反転部の半円周範囲に少なくても１個存在する間隔をおいて、その手摺ベルト全長に複数個設けたのである。【０００９】  このように、手摺ベルト反転部の半円周範囲内に、それの移動方向を表示する方向表示マーク体が存在することにより、エスカレーターに乗り込まんとする利用者（乗客）がエスカレーターの移動速度と方向が視覚的に認知できて、結果として踏段への乗り込みタイミング取りが容易となる一方、逆乗り込み防止に役立つ構成を長寿命状態で提供することができる。
【発明の効果】
【００１０】  本発明によれば、エスカレーターへの乗り込みタイミング取りの失敗による転倒事故を防止する一方、逆乗り込みを防止する効果に加え、長寿命効果を奏する。
【発明を実施するための最良の形態】
【００１１】  以下、本発明によるエスカレーターの手摺ベルトの一実施の形態を図１〜図４に示すエスカレーターに基づいて説明する。【００１２】  一般のエスカレーター１は、上階床２Ａと下階床２Ｂに装架される主フレーム３と、無端状に連結されて往路から復路にかけて反転して移動する多数の踏段４と、この踏段４と同期して往路から復路にかけて反転して移動するものでその断面形状が平坦部５Ａとこれに連なる両縁の半円部５Ｂとで馬蹄形をなす幅Ｗ１の手摺ベルト５と、その平坦部５Ａ（幅Ｗ２相当）から半円部５Ｂにかけて一体的に加硫接合される方向表示マーク体６Ａが設けられている。【００１３】  前記手摺ベルト５は、駆動歯車７の動力をチェーン８を介して駆動ローラ９等に伝達された動力によって摩擦駆動されるもので復路を案内ローラ１０、往路を欄干１１に案内され反転部１１Ａ，１１Ｂで折り返して移動する構成となっている。【００１４】  さらに、手摺ベルト５の製造工程において加熱成形する際に、この手摺ベルト５の表面とは異色で、かつ未加硫状態で製作されて、手摺ベルト５の移動方向を表示するための一定の板厚ｔを有して板厚的に耐摩滅（長寿命）性のある方向表示マーク体６Ａを手摺ベルト５の加硫ゴム表面に被せ、これら手摺ベルト５および方向表示マーク体６Ａを高温加熱条件下で加硫接合によって一体化させる一方、この方向表示マーク体６Ａを、手摺ベルト５の反転部の半円周範囲Ｈ（図１，図２）内に少なくても１個存在する間隔Ｐａ（図４）をおいて複数個配置して、いま乗り込まんとする利用者（乗客）がエスカレーター１を見ると常に正面となる符号Ｈの範囲内に１個存在する方向表示マーク６Ａにより移動速度の速度感と動き方向を確実に視覚に訴えるという作用を発揮するものである。加えて、方向表示マーク６Ａは、手摺ベルト５の地色とは色が異なり（例えば黄色）、そのマークも図示に例示した菱形に限らず大き目の矢印や３角印などでも不都合はない。【００１５】  ここで、図４に例示したように手摺ベルト５両縁の半円部５Ｂに方向表示マーク体６Ｂを間隔Ｐｂをおいて設けることも可能であり、こうすれば、エスカレーター１の側方からでも手摺ベルト５の移動方向を視認できる効果を奏する。【００１６】  以上説明したように、本実施形態によれば、手摺ベルト５の移動方向を長寿命状態で見易く表示し、もってエスカレーターへの転倒事故や逆乗り等を防止することができる。【００１７】  なお、上記実施の形態は、一般のエスカレーターを一例に説明したが、隣接踏段同士に段差を有しない動く歩道と通称されるエスカレーターにもそのまま適用することができる。
【図面の簡単な説明】
【００１８】
【図１】本発明によるエスカレーターの手摺ベルトの一実施の形態を示す全体側面図。
【図２】本発明の図１のＸ−Ｘ線に沿う正面図。
【図３】本発明の図２のＹ−Ｙ線に沿う断面図。
【図４】本発明の手摺ベルトの単体斜視図。
【符号の説明】
【００１９】  １…エスカレーター，４…踏段，５…手摺ベルト，５Ａ…平坦部
６Ａ…方向表示マーク体，６Ｂ…方向表示マーク体
【図１】
2008254921.tif 000003
【図２】
2008254921.tif 000004
【図３】
2008254921.tif 000005
【図４】
2008254921.tif 000006